(57)【要約】【課題】簡単な構成で、低コスト化を図り、原稿サイズの検出を可能にした画像読取装置およびこれを備えた画像形成装置を提供する。【解決手段】原稿台ガラス（２０１）と、原稿搬送部（３００）と、第１光源（２１１ａ）と、第１イメージセンサ（２０５ａ）を備えた画像読取装置において、原稿搬送部（３００）の開閉状態を検知する開閉検知装置（４００）と、第１光源（２１１ａ）からの照射光を第１イメージセンサ（２０５ａ）へ導く反射部材（５００）と、制御部（６００）の機能として、開閉検知装置（４００）の検知結果に基づき第１光源（２１１ａ）を発光させる光源発光機能（６０１）と、反射部材（５００）の反射光による第１イメージセンサ（２０５ａ）からの信号に基づいて、原稿台ガラス（２０１）の原稿の副走査方向のサイズを検出する原稿サイズ検出機能（６０２）を備えることを特徴とするものである。【選択図】図６
2014204263.tif 000002
【特許請求の範囲】
【請求項１】
原稿を載置する原稿載置台と、前記原稿載置台に載置した原稿を押さえる原稿押え装置と、前記原稿を照射するための光源と、光電変換素子を備えた光電変換器とを備え、前記光電変換器によって前記原稿載置台に載置された原稿を読み取る画像読取装置において、
前記原稿押え装置が前記原稿載置台に対して所定の角度で配置されたときに、前記原稿押え装置の開閉状態を検知する開閉検知部材と、
前記開閉検知部材による検知結果に基づき前記光源を発光させる光源発光手段と、
前記原稿押え装置に設けられ、前記原稿押え装置が前記原稿載置台に対して所定の角度で配置されたときに、前記光源からの照射光を反射して前記光電変換素子へ導く反射部材と、
前記反射部材からの反射光が前記光電変換素子へ入射されたときに前記光電変換素子から出力される信号に基づいて、前記原稿載置台に載置された原稿の副走査方向のサイズを検出する原稿サイズ検出手段と、
を備えることを特徴とする画像読取装置。
【請求項２】
前記光源から光を、前記原稿載置台に搬送される原稿を読取る読取り位置を含む読取り領域を通って前記反射部材に照射して、前記反射部材で反射した光により原稿の副走査方向のサイズを検出することを特徴とする請求項１に記載の画像読取装置。
【請求項３】
前記光源から光を、前記原稿載置台の下側から前記原稿載置台に載置された原稿に向けて照射して、原稿の副走査方向のサイズを検出し、その後、前記光源を、前記原稿載置台の下側に移動して、原稿の主走査方向のサイズを検出することを特徴とする請求項１に記載の画像読取装置。
【請求項４】
前記原稿載置台に搬送される原稿を前記原稿送り装置に導くガイド部材を備え、
前記ガイド部材は揺動可能に設けられ、
前記反射部材は、前記ガイド部材の前記原稿載置台と対向する側に設けられることを特徴とする請求項１に記載の画像読取装置。
【請求項５】
原稿を載置する原稿載置台と、前記原稿載置台に載置した原稿を押さえる原稿押え装置と、前記原稿を照射するための光源と、光電変換素子を備えた光電変換器とを備え、前記光電変換器によって前記原稿載置台に載置された原稿を読み取る画像読取装置を備えた画像形成装置において、
前記画像読取装置として、請求項１から４のうちの何れか一項に記載の画像読取装置を備えたことを特徴とする画像形成装置。
【発明の詳細な説明】
【技術分野】
【０００１】
本発明は、画像読取装置およびこれを備えた画像形成装置に係り、特に、原稿サイズの検出機能を備えた画像読取装置およびこれを備えた画像形成装置に関する。
【背景技術】
【０００２】
従来、複写機等の画像形成装置に搭載される画像読取装置は、プラテンガラス上に載置された原稿のサイズを検出し、その検出結果に基づいて原稿に記録されている画像を複写する用紙のサイズや複写倍率等を自動的に決定する技術が知られている。
【０００３】
複数の原稿サイズ（主走査方向、副走査方向）の検出方法としては、例えば、（１）原稿載置台の下側から原稿に向けて光源から光を照射させて、その反射光をＣＣＤで読取り原稿の主走査方向のサイズを検出する方法が知られている。
【０００４】
また、副走査方向の原稿サイズの検出方法としては、例えば、（２）原稿画像を読取る前に、プレスキャンしてＣＣＤで読取り、副走査方向の原稿の長さを検出する方法、（３）原稿載置台の下部に反射型のセンサ（例えば、受光素子、発光素子）を複数配置し、それらのセンサの発光素子から発光した光が受光素子によって原稿から反射するかどうかの有無を検知して原稿のサイズを判定する方法、等が知られている。
【０００５】
しかしながら、従来の（２）の方法は、光源を移動させるプレスキャン方式であるため、サイズ検出に時間がかかるという課題がある。
【０００６】
そこで、従来技術として、例えば、主走査方向の原稿サイズの検出は（１）の方法を改良し、副走査方向の原稿サイズの検出は（３）の方法を採用することで、反射型のセンサ１個を用いて原稿サイズ検出を行うようにしたものが提案されている（特許文献１を参照）。
【先行技術文献】
【特許文献】
【０００７】
【特許文献１】特開平９−１９１３７０号公報
【発明の概要】
【発明が解決しようとする課題】
【０００８】
しかしながら、上述した従来技術では、少なくとも１個のセンサを必要とするため、そのセンサのコストが余計にかかる。更に、主走査方向ではＣＣＤ、副走査方向ではＣＣＤ以外の別のセンサを用いるため、原稿サイズを検出する上で制御上複雑化するという課題がある。
【０００９】
本発明は、上記従来の問題点に鑑みてなされたものであって、簡単な構成で、且つ低コスト化を図り、すぐれた原稿サイズの検出を可能にした画像読取装置およびこれを備えた画像形成装置を提供することを目的とする。
【課題を解決するための手段】
【００１０】
上述した課題を解決するための本発明に係る画像読取装置およびこれを備えた画像形成装置は、次の通りである。
【００１１】
本発明は、原稿を載置する原稿載置台と、前記原稿載置台に載置した原稿を押さえる原稿押え装置と、前記原稿を照射するための光源と、光電変換素子を備えた光電変換器（例えば、ＣＣＤ）とを備え、前記光電変換器によって前記原稿載置台に載置された原稿を読み取る画像読取装置において、前記原稿押え装置が前記原稿載置台に対して所定の角度で配置されたときに、すなわち、所定の角度で閉じられた状態にされた時に、前記原稿押え装置の開閉状態を検知する開閉検知部材と、前記開閉検知部材による検知結果に基づき前記光源を発光させる光源発光手段と、前記原稿押え装置に設けられ、前記原稿押え装置が前記原稿載置台に対して所定の角度で配置されたときに、前記光源からの照射光を反射して前記光電変換素子へ導く反射部材と、前記反射部材からの反射光が前記光電変換素子へ入射されたときに前記光電変換素子から出力される信号に基づいて、前記原稿載置台に載置された原稿の副走査方向のサイズを検出する原稿サイズ検出手段と、を備えることを特徴とするものである。
【００１２】
また、本発明は、前記光源から光を、前記原稿載置台に搬送される原稿を読取る読取り位置を含む読取り領域を通って前記反射部材に照射して、前記反射部材で反射した光により原稿の副走査方向のサイズを検出することが好ましい。
【００１３】
また、本発明は、前記光源から光を、前記原稿載置台の下側から前記原稿載置台に載置された原稿に向けて照射して、原稿の副走査方向のサイズを検出し、その後、前記光源を、前記原稿載置台の下側に移動して、原稿の主走査方向のサイズを検出することが好ましい。
【００１４】
また、本発明は、前記原稿載置台に搬送される原稿を前記原稿送り装置に導くガイド部材を備え、前記ガイド部材を揺動可能に設け、前記反射部材を、前記ガイド部材の前記原稿載置台と対向する側に設けることが好ましい。
【００１５】
また、本発明は、原稿を載置する原稿載置台と、前記原稿載置台に載置した原稿を押さえる原稿押え装置と、前記原稿を照射するための光源と、光電変換素子を備えた光電変換器（ＣＣＤ）とを備え、前記光電変換器によって前記原稿載置台に載置された原稿を読み取る画像読取装置を備えた画像形成装置において、前記画像読取装置として、請求項１から４のうちの何れか一項に記載の画像読取装置を備えたことを特徴とするものである。
【発明の効果】
【００１６】
本発明の画像読取装置によれば、原稿を載置する原稿載置台と、前記原稿載置台に載置した原稿を押さえる原稿押え装置と、前記原稿を照射するための光源と、光電変換素子を備えた光電変換器とを備え、前記光電変換器によって前記原稿載置台に載置された原稿を読み取る画像読取装置において、前記原稿押え装置が前記原稿載置台に対して所定の角度で配置されたときに、すわわち、所定の角度で閉じられた状態にされた時に、前記原稿押え装置の開閉状態を検知する開閉検知部材と、前記開閉検知部材による検知結果に基づき前記光源を発光させる光源発光手段と、前記原稿押え装置に設けられ、前記原稿押え装置が前記原稿載置台に対して所定の角度で配置されたときに、前記光源からの照射光を反射して前記光電変換素子へ導く反射部材と、前記反射部材からの反射光が前記光電変換素子へ入射されたときに前記光電変換素子から出力される信号に基づいて、前記原稿載置台に載置された原稿の副走査方向のサイズを検出する原稿サイズ検出手段と、を備えることで、別途反射型センサ等を設ける必要がないので、簡単な構成で、且つ低コスト化を図り、原稿サイズの判定を容易にできる画像読取装置を提供することができる。
【００１７】
また、本発明の画像形成装置によれば、原稿を載置する原稿載置台と、前記原稿載置台に載置した原稿を押さえる原稿押え装置と、前記原稿を照射するための光源と、光電変換素子を備えた光電変換器とを備え、前記光電変換器によって前記原稿載置台に載置された原稿を読み取る画像読取装置を備えた画像形成装置において、前記画像読取装置として、請求項１から４のうちの何れか一項に記載の画像読取装置を備えたことで、別途反射型センサ等を設ける必要がないので、簡単な構成で、且つ低コスト化を図り、原稿サイズの判定を容易にできる画像形成装置を提供することができる。
【図面の簡単な説明】
【００１８】
【図１】本発明の実施形態に係る画像読取装置が搭載された画像形成装置の全体の構成を示す説明図である。
【図２】前記画像形成装置に備わる画像読取装置の構成を示す概略縦断面図である。
【図３】前記画像形成装置に備わる画像読取装置を所定の位置に配置した状態を示す説明図である。
【図４】（ａ）は前記画像読取装置の開放状態を概略図で示す説明図、（ｂ）は前記画像読取装置を所定の角度で配置した状態を概略図で示す説明図である。
【図５】（ａ）は前記画像読取装置画像を開放したときの開閉検知装置の状態を示す説明図、（ｂ）は前記画像読取装置を所定の角度で配置したときの開閉検知装置の状態を示す説明図である。
【図６】（ａ）は前記画像読取装置を閉じたときの反射部材の状態を示す説明図、（ｂ）は前記画像読取装置を所定の角度で配置したときの反射部材の状態を示す説明図である。
【図７】前記画像読取装置の電気的構成を示すブロック図である。
【図８】（ａ）は前記画像読取装置の原稿台ガラス上における読取り可能な原稿サイズと反射部材による反射光の照射領域との位置関係を示す平面視による説明図、（ｂ）は前記画像読取装置の反射部材による反射光の照射を示す側面視による説明図である。
【図９】前記画像読取装置における原稿を読取る際に原稿サイズを判断する処理手順を示すフローチャートである。
【図１０】前記画像読取装置により読取り可能な短尺の原稿サイズの一例を示す表である。
【図１１】前記画像読取装置により読取り可能な長尺の原稿サイズの一例を示す表である。
【図１２】前記画像読取装置により読取り可能な原稿サイズの一例を示す表である。
【発明を実施するための形態】
【００１９】
以下、本発明の画像読取装置を実施するための形態について図面を参照して説明する。
図１は発明を実施する形態の一例であって、本発明の実施形態に係る画像読取装置が搭載された画像形成装置の全体の構成を示す説明図である。
【００２０】
本実施形態に係る画像形成装置１００は、図１に示すように、原稿を読み取る画像読取装置１２０を備えた画像形成装置１００であって、画像読取装置１２０として、本発明に係る画像読取装置の構成を採用したものである。
【００２１】
まず、画像形成装置１００の全体構成について説明する。
以下の説明では、同一の部品には同一の符号を付してある。それらの名称および機能も同じである。したがって、それらについての詳細な説明は繰り返さない。
【００２２】
画像形成装置１００は、図１に示すように、外部から伝達された画像データに応じて、所定の用紙（例えば、記録用紙）に対して多色及び単色の画像を形成するもので、装置本体１１０と、画像読取装置１２０とにより構成されている。
【００２３】
装置本体１１０は、露光ユニット１、現像装置２、感光体ドラム３、クリーナユニット４、帯電器５、転写部６、定着ユニット７、給紙カセット８１、排紙トレイ９１等を有して構成されている。
【００２４】
装置本体１１０の上部には、原稿読取部２００が設けられている。
原稿読取部２００の上側には、原稿が載置される透明ガラスからなる原稿台ガラス（原稿載置台）２０１が設けられ、その原稿台ガラス２０１の上側には画像読取装置１２０が取り付けられている。
【００２５】
画像読取装置１２０は、第１読取ガラス２０１ａの上に自動で原稿を搬送する。
また、画像読取装置１２０は、回動自在に構成され、原稿台ガラス２０１の上を開放することにより原稿を手置きで置くことができるようになっている。すなわち、画像読取装置１２０は原稿押え装置として機能している。
【００２６】
画像形成装置１００において扱われる画像データは、ブラック（Ｋ）、シアン（Ｃ）、マゼンタ（Ｍ）、イエロー（Ｙ）の各色を用いたカラー画像に応じたものである。
従って、現像装置２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２７】
帯電器５は、感光体ドラム３の表面を所定の電位に均一に帯電させるための帯電手段である。図１に示すようなチャージャ型の他、接触型のローラ型やブラシ型の帯電器を用いても良い。
【００２８】
露光ユニット１は、外部から入力した画像データまたは原稿から読み取って得られた画像データに応じて、帯電された感光体ドラム３を露光することにより、画像データに応じた静電潜像を感光体ドラム３の表面に形成する画像書込み装置であり、レーザ出射部及び反射ミラー等を備えたＬＳＵ（レーザスキャニングユニット）として構成される。
また、露光ユニット１には、レーザビームを走査するポリゴンミラーと、ポリゴンミラーによって反射されたレーザ光を感光体ドラム３に導くためのレンズやミラー等の光学要素が配置されている。
【００２９】
また、露光ユニット１としては、上述した構成の他に発光素子をアレイ状に並べた、例えば、ＥＬやＬＥＤ書込みヘッドを用いる手法も採用できる。
【００３０】
このように構成された露光ユニット１は、帯電された感光体ドラム３を入力された画像データに応じて露光することにより、感光体ドラム３の表面に画像データに応じた静電潜像を形成する機能を有する。
【００３１】
現像装置２は、それぞれの感光体ドラム３上に形成された静電潜像を４色（Ｙ，Ｍ，Ｃ，Ｋ）のトナーにより顕像化するものである。
【００３２】
感光体ドラム３は、円筒状を呈し、露光ユニット１の上方に配設され、その表面がクリーナユニット４によりクリーニングされ、クリーニングされた表面が帯電器５により均一に帯電される。
【００３３】
クリーナユニット４は、現像・画像転写後における感光体ドラム３上の表面に残留したトナーを除去・回収する。
【００３４】
感光体ドラム３の上方に配置されている転写部６は、無端状の中間転写ベルト（無端ベルト）６１、中間転写ベルト駆動ローラ６２、中間転写ベルト従動ローラ６３、中間転写ローラ６４、及び中間転写ベルトクリーニングユニット６５を備えている。中間転写ローラ６４は、Ｙ，Ｍ，Ｃ，Ｋの各色に対応して４本設けられている。
【００３５】
中間転写ベルト駆動ローラ６２、中間転写ベルト従動ローラ６３、及び中間転写ローラ６４は、中間転写ベルト６１を張架して回転駆動するように構成されている。
【００３６】
中間転写ベルト６１は、厚さ１００μｍ〜１５０μｍ程度のフィルムを用いて無端状に形成され、各感光体ドラム３に接触するように設けられている。そして、感光体ドラム３に形成された各色のトナー像を中間転写ベルト６１上に順次重ね合わせて転写することによって、中間転写ベルト６１上にカラーのトナー像（多色トナー像）を形成する機能を有している。
【００３７】
感光体ドラム３から中間転写ベルト６１へのトナー像の転写は、中間転写ベルト６１の裏側に接触している中間転写ローラ６４によって行われる。
【００３８】
各中間転写ローラ６４は、中間転写ベルト６１に対して感光体ドラム３のトナー像を中間転写ベルト６１上に転写するための転写バイアスを与えるようにされている。詳しくは、中間転写ローラ６４には、トナー像を転写するために高電圧の転写バイアス（トナーの帯電極性（−）とは逆極性（＋）の高電圧）が印加されている。
【００３９】
中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。尚、第１実施形態では、転写電極としてローラ形状の中間転写ローラ６４を使用しているが、それ以外にブラシなども用いることが可能である。
【００４０】
上述したように、各感光体ドラム３上で各色相に応じて顕像化されたトナー像は中間転写ベルト６１上に積層される。積層された画像情報としてのトナー像は、中間転写ベルト６１とともに搬送されて、搬送される用紙と中間転写ベルト６１との接触位置（２次転写位置，所定位置）に移動し、この接触位置に配置されている転写ローラ１０によって用紙上に転写される。
【００４１】
この時、中間転写ベルト６１と転写ローラ１０とは、所定ニップで互いに圧接されるとともに、転写ローラ１０にはトナー像を用紙に転写させるための２次転写バイアスが印加される。この２次転写バイアスは、トナーの帯電極性（−）とは逆極性（＋）の高電圧である。
【００４２】
さらに、上記所定ニップを定常的に得るために、２次転写位置にて中間転写ベルト６１に圧接する転写ローラ１０もしくは２次転写位置にて中間転写ベルト６１の裏側に圧接する中間転写ベルト駆動ローラ６２の何れか一方を硬質材料（金属等）とし、他方を弾性ローラ等の軟質材料（弾性ゴムローラまたは発泡性樹脂ローラ等）としている。
【００４３】
上述した転写工程において、感光体ドラム３に接触することにより中間転写ベルト６１に付着したトナー、もしくは転写ローラ１０によって用紙上に転写が行われずに中間転写ベルト６１に残存したトナーは、次工程で形成されるトナー像に対してトナーの混色を発生させる原因となるために、中間転写ベルトクリーニングユニット６５によって除去・回収されるように構成されている。
【００４４】
中間転写ベルトクリーニングユニット６５は、中間転写ベルト６１が搬送される経路上で、中間転写ベルト搬送方向において転写ローラ１０より下流側で感光体ドラム３よりも上流側に設けられている。
【００４５】
中間転写ベルト６１は、裏側から中間転写ベルト従動ローラ６３で支持されている。
【００４６】
給紙カセット８１は、画像形成に使用する用紙を蓄積しておくためのトレイであり、装置本体１１０の露光ユニット１の下側に設けられている。また、装置本体１１０の外側部には、外側より用紙を供給可能な手差し給紙カセット８２が設けられている。
この手差し給紙カセット８２にも画像形成に使用する用紙を複数枚積載することができる。装置本体１１０の上方には、印刷済みの用紙をフェイスダウンで集積するための排紙トレイ９１が設けられている。
【００４７】
また、装置本体１１０には、給紙カセット８１及び手差し給紙カセット８２の用紙を転写ローラ１０や定着ユニット７を経由させて排紙トレイ９１に送るための、略垂直形状の用紙搬送路Ｓが設けられている。給紙カセット８１乃至手差し給紙カセット８２から排紙トレイ９１に到る用紙搬送路Ｓの近傍には、ピックアップローラ１１ａ，１１ｂ、複数の搬送ローラ１２ａ〜１２ｄ、レジストローラ１３、転写ローラ１０、定着ユニット７等が配されている。
【００４８】
搬送ローラ１２ａ〜１２ｄは、用紙の搬送を促進・補助するための小型のローラであり、用紙搬送路Ｓに沿って設けられている。尚、搬送ローラ１２ｂは、用紙を排紙トレイ９１に排出する排紙ローラとして機能するため、排紙ローラと称する。
【００４９】
ピックアップローラ１１ａは、給紙カセット８１の端部近傍に備えられ、給紙カセット８１から用紙を１枚ずつピックアップして用紙搬送路Ｓに供給する。
ピックアップローラ１１ｂは、手差し給紙カセット８２の端部近傍に備えられ、手差し給紙カセット８２から用紙を１枚ずつピックアップして用紙搬送路Ｓに供給する。
【００５０】
レジストローラ１３は、用紙搬送路Ｓを搬送されている用紙を一旦保持するものである。そして、感光体ドラム３上のトナー像の先端と用紙の先端を合わせるタイミングで用紙を転写ローラ１０に搬送する機能を有している。すなわち、レジストローラ１３によって、搬送される用紙上の所定の位置に中間転写ベルト６１上のトナー像が転写されるように整合される。
【００５１】
定着ユニット７は、定着ローラとして１対のヒートローラ７１と加圧ローラ７２を備えており、ヒートローラ７１及び加圧ローラ７２は、用紙を挟んで回転搬送するようになっている。
【００５２】
ヒートローラ７１及び加圧ローラ７２は、対向して配置されて、ヒートローラ７１と加圧ローラ７２との圧接箇所には、定着ニップ部が形成されている。
【００５３】
ヒートローラ７１は、所定の定着温度となるように制御部（図示せず）によって温度制御される。この制御部は、ヒートローラ７１の周囲に設けられたヒートローラ７１の温度と検出する図示しない温度検出器（非接触式のサーミスタ）からの検出信号に基づいてヒートローラ７１の表面温度が１６０〜２００℃の範囲となるように制御する。
【００５４】
また、ヒートローラ７１は、加圧ローラ７２とともにトナーを用紙に熱圧着することにより、用紙に転写された多色トナー像を溶融・混合・圧接し、用紙に対して熱定着させる機能を有している。また、ヒートローラ７１には、図１に示すように、ヒートローラ７１を外部から定着するための外部定着ベルト７３が設けられている。
【００５５】
一方、加圧ローラ７２も、ヒートローラ７１と同様に円筒状の金属製の芯金の周面に弾性層が設けられて構成されている。そして、ヒートローラ７１に対して所定の圧力で当接されるようになっている。
【００５６】
次に画像読取装置１２０の全体構成について説明する。
図２は本実施形態の画像形成装置に備わる画像読取装置の構成を示す概略縦断面図である。
【００５７】
画像読取装置１２０は、図１及び図２に示すように、画像形成装置１００の上部に設けられ、原稿固定方式により原稿Ｇを固定して原稿画像を読み取ると共に、原稿移動方式により原稿Ｇを移動させて原稿画像を読み取るように構成されている。
【００５８】
すなわち、画像読取装置１２０は、原稿載置台の一例である原稿台ガラス２０１上に載置された状態で載置位置が原稿ガイド３３１，３３２にて規定される原稿Ｇを、第１原稿読取部２００ａにおいて第１光源２１１ａにて該原稿台ガラス２０１を介して照明し、該第１光源２１１ａが設けられた光源ユニット２１０を副走査方向（図中矢印Ｙ方向）の一方側の読取方向Ｙ１に移動させつつ該第１光源２１１ａにより照明された原稿Ｇからの反射光を第１イメージセンサ２０５ａにて副走査方向Ｙに直交する主走査方向の一方側の読取方向に走査して原稿画像を読み取る原稿固定読取構成を備えている。
【００５９】
また、画像読取装置１２０は、原稿搬送部３００で第１読取ガラス２０１ａ上を通過するように副走査方向Ｙ一方側の所定の搬送方向Ｙ３に搬送される原稿Ｇを、第１原稿読取部２００ａにおいて所定位置Ｖに停止している光源ユニット２１０の第１光源２１１ａにて該第１読取ガラス２０１ａを介して照明しつつ該第１光源２１１ａにより照明された原稿Ｇからの反射光を第１イメージセンサ２０５ａにて主走査読取方向に走査して原稿画像を読み取る第１原稿移動読取構成を備えている。
【００６０】
さらに、画像読取装置１２０は、原稿搬送部３００で第２読取ガラス２０１ｂ上を通過するように搬送方向Ｙ３に搬送される原稿Ｇを、第２原稿読取部２００ｂにおいて所定位置Ｗに固定された読取ユニット２２０の第２光源２１１ｂにて該第２読取ガラス２０１ｂを介して照明しつつ該第２光源２１１ｂにより照明された原稿Ｇからの反射光を読取ユニット２２０の第２イメージセンサ２０５ｂにて主走査読取方向に走査して原稿画像を読み取る第２原稿移動読取構成とを備えている。なお、図１及び図２では光源ユニット２１０が所定位置Ｖに位置している状態を示している。
【００６１】
詳しくは、第１原稿読取部２００ａは、原稿台ガラス２０１と、第１原稿ガイド３３１と、第２原稿ガイド３３２と、光源ユニット２１０と、ミラーユニット２０３と、光源ユニット２１０及びミラーユニット２０３を移動させる光学系駆動部（図示せず）と、集光レンズ２０４と、第１イメージセンサ（ここではＣＣＤ）２０５ａとを備えている。
【００６２】
原稿台ガラス２０１は、透明なガラス板からなり、外周端部が枠体２０２に支持されている。第１原稿ガイド３３１は、原稿台ガラス２０１に載置される原稿Ｇの副走査読取方向Ｙ１とは反対方向Ｙ２への移動を規制するものである。第２原稿ガイド３３２は、原稿台ガラス２０１に載置される原稿Ｇの主走査読取方向とは反対方向への移動を規制するものである。
【００６３】
なお、原稿搬送部３００は、副走査方向Ｙに沿った軸線回りに（例えばヒンジによって軸支され）第１原稿読取部２００ａに対して開閉可能となっており、その下面が第１原稿読取部２００ａの原稿台ガラス２０１上に載置された原稿Ｇを上から押さえる原稿押え装置として機能するように構成されている。
【００６４】
光源ユニット２１０は、第１光源２１１ａ、第１ミラー２３０及び第１支持部材（図示せず）を備えている。第１光源２１１ａは、原稿Ｇに向けて光を照射するようになっている。前記第１支持部材は、第１ミラー２３０を、原稿Ｇからの光を反射してミラーユニット２０３における第２ミラー２０３ａに導くように支持している。
【００６５】
ミラーユニット２０３は、第２ミラー２０３ａ、第３ミラー２０３ｂ及び第２支持部材（図示せず）を備えている。前記第２支持部材は、第２ミラー２０３ａを、光源ユニット２１０における第１ミラー２３０からの光を反射して第３ミラー２０３ｂに導くように支持すると共に、第３ミラー２０３ｂを、第２ミラー２０３ａからの光を反射して集光レンズ２０４に導くように支持している。集光レンズ２０４は、第３ミラー２０３ｂからの光を第１イメージセンサ２０５ａに集光するものである。第１イメージセンサ２０５ａは、集光レンズ２０４からの光（原稿画像光）を画像データとして電気信号に変換するものである。
【００６６】
また、前記光学系駆動部は、光源ユニット２１０を一定の速度で所定の移動方向（副走査読取方向）Ｙ１に移動させると共に、ミラーユニット２０３を光源ユニット２１０の移動速度の１／２の移動速度で同じく移動方向Ｙ１に移動させるように構成されている。
【００６７】
ここでは、第１原稿読取部２００ａは、原稿固定方式に加えて、原稿移動方式にも対応している。従って、前記光学系駆動部は、さらに、光源ユニット２１０を第１読取ガラス２０１ａ下方の所定のホームポジションＶに位置させるように構成されている。
【００６８】
そして、画像読取装置１２０は、原稿Ｇを搬送方向Ｙ３に一定の搬送速度で搬送する原稿搬送部３００と、原稿搬送路３０３を間にして両側に設けられた原稿読取部として作用する第１及び第２原稿読取部２００ａ，２００ｂとを備えている。なお、原稿読取部は、第１原稿読取部２００ａのみであってもよい。
【００６９】
第１及び第２原稿読取部２００ａ，２００ｂは、それぞれ、第１及び第２光源２１１ａ，２１１ｂと、原稿搬送部３００にて搬送される原稿Ｇを所定の原稿読取位置β１で読み取る第１及び第２イメージセンサ２０５ａ，２０５ｂとを有している。さらに、第１及び第２原稿読取部２００ａ，２００ｂは、それぞれ、第１及び第２読取ガラス２０１ａ，２０１ｂを有している。
【００７０】
詳しくは、第１及び第２原稿読取部２００ａ，２００ｂは、原稿搬送部３００で第１及び第２読取ガラス２０１ａ，２０１ｂ上を通過するように搬送方向Ｙ３に搬送される原稿Ｇを、第１及び第２光源２１１ａ，２１１ｂにて該第１及び第２読取ガラス２０１ａ，２０１ｂを介して照明しつつ該第１及び第２光源２１１ａ，２１１ｂにより照明された原稿Ｇからの反射光（原稿画像光）を主走査方向に走査して原稿画像を第１及び第２イメージセンサ２０５ａ，２０５ｂにて読み取るようになっている。
【００７１】
第２光源２１１ｂは、原稿Ｇに向けて光照射するようになっている。第２イメージセンサ２０５ｂは、原稿Ｇからの反射光（原稿画像光）を画像データとして電気信号に変換するものである。
【００７２】
原稿搬送部３００は、原稿Ｇを搬送するために載置する原稿トレイ３０１と、この原稿トレイ３０１の下方に配置される排出トレイ３０２と、これらの間を接続する原稿搬送路３０３と、第１及び第２上流側搬送ローラ対３０４ａ，３０４ｂと、第１及び第２下流側搬送ローラ対３０５ａ，３０５ｂとを備えている。
【００７３】
原稿搬送路３０３は、内搬送ガイド３０３ａと外搬送ガイド３０３ｂとで形成されている。第１及び第２上流側搬送ローラ対３０４ａ，３０４ｂは、原稿読取位置β１を基準にして搬送方向Ｙ３の上流側で原稿Ｇを搬送するものである。また、第１及び第２下流側搬送ローラ対３０５ａ，３０５ｂは、原稿読取位置β１を基準にして搬送方向Ｙ３の下流側で原稿Ｇを搬送するものである。そして、第１及び第２読取ガラス２０１ａ，２０１ｂは、それぞれ、外搬送ガイド３０３ｂ及び内搬送ガイド３０３ａの搬送壁を画するように略水平に設けられている。
【００７４】
原稿搬送部３００は、さらに、ピックアップローラ３０６と、原稿給紙ローラ３０７と、分離部材（ここでは分離ローラ）３０８とを備えている。
【００７５】
ピックアップローラ３０６は、原稿トレイ３０１上に載置された原稿Ｇを該原稿トレイ３０１から搬送方向Ｙ３に沿って原稿搬送路３０３内へ送り出すものである。原稿給紙ローラ３０７は、ピックアップローラ３０６よりも搬送方向Ｙ３下流側に配置されており、ピックアップローラ３０６にて送られてきた原稿Ｇを分離部材３０８と共に挟持しつつさらに搬送方向Ｙ３下流側へ搬送するものである。分離部材３０８は、原稿給紙ローラ３０７に対峙された状態で該原稿給紙ローラ３０７との間に搬送される原稿Ｇが１枚になるように該原稿Ｇを捌く（分離する）ようになっている。
【００７６】
かかる構成を備えた原稿搬送部３００は、原稿Ｇをピックアップローラ３０６にて原稿給紙ローラ３０７と分離部材３０８との間に搬送し、ここで原稿Ｇを捌いて分離すると共に原稿給紙ローラ３０７を回転駆動させることによって１枚ずつ搬送するようになっている。そして、原稿給紙ローラ３０７にて搬送される原稿Ｇを原稿搬送路３０３にて案内して第１上流側搬送ローラ対３０４ａに向けて１枚ずつ供給することが可能となっている。
【００７７】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む図示しない駆動伝達手段を介して原稿給紙ローラ３０７と同方向に回転するように該原稿給紙ローラ３０７に連結されている。ピックアップローラ３０６及び原稿給紙ローラ３０７は、原稿Ｇの読み取り要求がなされると、図示しない原稿供給駆動部にて原稿Ｇを搬送方向Ｙ３に搬送させる方向に回転駆動されるようになっている。
【００７８】
原稿搬送路３０３は、原稿Ｇを原稿給紙ローラ３０７からレジストローラ対３０９、第１上流側搬送ローラ対３０４ａ、第１読取ガラス２０１ａ及び第１下流側搬送ローラ対３０５ａを経て、さらに、第２上流側搬送ローラ対３０４ｂ、第２読取ガラス２０１ｂ及び第２下流側搬送ローラ対３０５ｂへと搬送した後、排出トレイ３０２へ排出するようにループ状に形成されている。
【００７９】
本実施の形態では、１回の原稿搬送で原稿Ｇの一方の面又は他方の面を第１原稿読取部２００ａ又は第２原稿読取部２００ｂによって読み取ることができると共に、１回の原稿搬送で原稿Ｇの一方の面及び他方の面の双方（両面）を第１及び第２原稿読取部２００ａ，２００ｂの双方によって読み取ることができるように構成されている。なお、第２原稿読取部２００ｂを除去し、第１原稿読取部２００ａにて原稿Ｇの一方の面を読み取った後、反転搬送路３１１及び反転ゲート３１２を用いて原稿Ｇを該原稿Ｇの表裏が逆転するように反転させた後、再度、第１原稿読取部２００ａにて原稿Ｇの他方の面を読み取るようにしてもよい。
【００８０】
また、原稿給紙ローラ３０７よりも搬送方向Ｙ３の下流側かつ第１上流側搬送ローラ対３０４ａよりも搬送方向Ｙ３の上流側に配置されたレジストローラ対３０９は、停止状態において原稿給紙ローラ３０７にて搬送された原稿Ｇの搬送方向Ｙ３の下流側端部（先端部）エッジを突き合わせて整合し、搬送タイミングに合わせて回転駆動されるようになっている。
【００８１】
また、本実施の形態では、原稿搬送路３０３には、第１原稿読取部２００ａの原稿読取位置β１を基準にして搬送方向Ｙ３の上流側で原稿Ｇを検出する第１原稿検出部３２０ａが設けられている。ここでは、第１原稿検出部３２０ａは、搬送方向Ｙ３において第１上流側搬送ローラ対３０４ａよりも下流側かつ第１原稿読取部２００ａの原稿読取位置β１よりも上流側に配置されている。
【００８２】
また、本実施の形態では、原稿搬送路３０３には、第２原稿読取部２００ｂの原稿読取位置β１を基準にして搬送方向Ｙ３の上流側で原稿Ｇを検出する第２原稿検出部３２０ｂが設けられている。ここでは、第２原稿検出部３２０ｂは、搬送方向Ｙ３において第２上流側搬送ローラ対３０４ｂよりも下流側かつ第２原稿読取部２００ｂの原稿読取位置β１よりも上流側に配置されている。第１及び第２原稿検出部３２０ａ，３２０ｂは、例えば、レバー式スイッチやフォトセンサ等の原稿検出センサとされる。
【００８３】
また、本実施の形態では、画像読取装置１２０は、第１及び第２読取ガラス２０１ａ，２０１ｂを間にして原稿読取位置β１の読取側とは反対側に配置された第１及び第２読取部材（読取部材の一例）３１８ａ，３１８ｂをさらに備えている。この第１及び第２読取部材３１８ａ，３１８ｂは、非原稿搬送時に第１及び第２イメージセンサ２０５ａ，２０５ｂによって読み取られるものである。なお、本実施の形態では、第１読取部材３１８ａは、搬送される原稿Ｇを原稿読取位置β１で案内する搬送ガイドの機能も有している。また、本実施の形態では、画像読取装置１２０は、第２読取部材３１８ｂの原稿搬送側面に配置された読取部材用ガラス３１９ｂをさらに備えている。
【００８４】
以上説明した画像読取装置１２０では、原稿固定方式によって原稿Ｇの原稿画像を読み取る指示がなされると、光源ユニット２１０は原稿台ガラス２０１に載置される原稿Ｇに対して第１光源２１１ａからの光を該原稿台ガラス２０１を介して照射しながら一定の速度で移動方向Ｙ１に移動して原稿Ｇの画像を走査し、それと同時にミラーユニット２０３は光源ユニット２１０の移動速度の１／２の移動速度で同じく移動方向Ｙ１に移動する。
【００８５】
光源ユニット２１０の第１光源２１１ａにて照明された原稿Ｇからの反射光は、光源ユニット２１０に設けられた第１ミラー２３０で反射したのち、ミラーユニット２０３の第２及び第３ミラー２０３ａ，２０３ｂによって１８０°光路変換され、第３ミラー２０３ｂから反射された光は集光レンズ２０４を介して第１イメージセンサ２０５ａに結像し、ここで原稿画像光が読み取られて電気的な画像データに変換される。
【００８６】
一方、原稿移動方式によって原稿Ｇの原稿画像を読み取る指示がなされると、光源ユニット２１０及びミラーユニット２０３が図２に示される位置Ｖに静止したまま、原稿搬送部３００によって原稿Ｇが第１読取ガラス２０１ａの上部を通過するように搬送方向Ｙ３に搬送される。すなわち、原稿トレイ３０１に載置された原稿Ｇは、ピックアップローラ３０６によって取り出され、原稿給紙ローラ３０７及び分離部材３０８によって１枚ずつに分離され、原稿搬送路３０３に搬送される。原稿搬送路３０３に搬送された原稿Ｇは、レジストローラ対３０９によって、斜行防止のために先端が揃えられると共に、規定の読み取りタイミングで送り出され、上流側搬送ローラ対３０４を経て第１読取ガラス２０１ａへと搬送される。このとき、第１原稿検出センサ３２０ａで原稿Ｇの搬送タイミングが検出される。
【００８７】
そして、第１読取ガラス２０１ａ上を通過した原稿Ｇの一方の面に、光源ユニット２１０の第１光源２１１ａからの光が該読取ガラス２０１ａを介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して第１イメージセンサ２０５ａに結像し、ここで原稿画像が読み取られて電気的な画像データに変換される。
【００８８】
読み取りの終了した原稿Ｇは、下流側搬送ローラ対３０５によって第１読取ガラス２０１ａ上から引き出され、原稿搬送路３０３に沿って、第２下流側搬送ローラ対３０５ｂによって排出トレイ３０２上に排出される。
【００８９】
また、原稿Ｇの一方の面と他方の面との両面を読み取る場合には、第１原稿読取部２００ａによって一方の面が読み取られた原稿Ｇは、第２上流側搬送ローラ対３０４ｂによって第２読取ガラス２０１ｂへと搬送される。このとき、第２原稿検出センサ３２０ｂで原稿Ｇの搬送タイミングが検出される。
【００９０】
そして、第２読取ガラス２０１ｂ上を通過した原稿Ｇの他方の面に、読取ユニット２２０の第２光源２１１ｂからの光が該第２読取ガラス２０１ｂを介して照射されて該他方の面で反射される。この原稿Ｇの他方の面から反射された光は、読取ユニット２２０の第２イメージセンサ２０５ｂに入射し、ここで原稿画像が読み取られて電気的な画像データに変換される。
【００９１】
両面の読み取りが終了した原稿Ｇは、第２下流側搬送ローラ対３０５ｂによって第２読取ガラス２０１ｂ上から引き出され、排出トレイ３０２上に排出される。
【００９２】
なお、原稿Ｇの他方の面のみを読み取る場合には、前記の読み取り処理の際に第１原稿読取部２００ａの読み取り処理を停止することができる。
【００９３】
また、第１原稿検出部３２０ａが第２原稿検出部３２０ｂを兼ねることで、第２原稿検出部３２０ｂを除去するようにしてもよい。また、レジストローラ対３０９の回転タイミングにより前記搬送タイミングを検出することで、第１原稿検出部３２０ａ及び第２原稿検出部３２０ｂの少なくとも一方を除去するようにしてもよい。
【００９４】
次に、本実施形態の画像形成装置１００の特徴的な画像読取装置１２０の構成について図面を参照して説明する。
図３は本実施形態の画像形成装置に備わる画像読取装置を所定の位置に配置した状態を示す説明図、図４（ａ）は前記画像読取装置の開放状態を概略図で示す説明図、（ｂ）は前記画像読取装置を所定の角度で配置した状態を概略図で示す説明図、図５（ａ）は前記画像読取装置画像を開放したときの開閉検知装置の状態を示す説明図、（ｂ）は前記画像読取装置を所定の角度で配置したときの開閉検知装置の状態を示す説明図、図６（ａ）は前記画像読取装置を閉じたときの反射部材の状態を示す説明図、（ｂ）は前記画像読取装置を所定の角度で配置したときの反射部材の状態を示す説明図、図７は前記画像読取装置の電気的構成を示すブロック図である。
【００９５】
本実施形態の画像読取装置１２０は、図３に示すように、原稿を載置する原稿台ガラス２０１と、原稿台ガラス２０１に載置した原稿を押さえる原稿搬送部（原稿押え装置）３００と、原稿を照射するための光源として第１及び第２光源２１１ａ，２１１ｂと、第１及び第２イメージセンサ（光電変換素子）２０５ａ，２０５ｂを備えた第１及び第２原稿読取部（光電変換器）２００ａ，２００ｂを備えた画像読取装置において、図４（ａ），（ｂ）、図５（ａ），（ｂ）に示すように、原稿搬送部３００が原稿台ガラス２０１に対して所定の角度で配置されたときに、原稿搬送部３００の開閉状態を検知する開閉検知装置（開閉検知部材）４００を備えている。
【００９６】
開閉検知装置４００は、図５（ａ），（ｂ）に示すように、主に、アクチュエータ４０１と、動作したアクチュエータ４０１を復元させるスプリング４０２と、アクチュエータ４０１の動きに連動するセンサ検知体４０３と、センサ検知体４０３を検出するフォトセンサ（透過型センサ）４０４を備えて構成されている。
【００９７】
アクチュエータ４０１は、スキャナ筐体２００ｃから突出して設けられ、アクチュエータ４０１は、アクチュエータ抜け防止部材４０５と、スキャナ筐体２００ｃに設けられたスプリング規制部材２００ｄとにより出没可能に設けられている。
【００９８】
ここで、開閉検知装置４００の作用について説明する。
画像読取装置１２０において、図４（ｂ）に示すように、原稿搬送部３００が閉じられたとき、原稿搬送部３００がアクチュエータ４０１に当接し、アクチュエータ４０１は原稿搬送部３００の動作に連動してスキャナ筐体２００ｃ内に押し込まれる。
【００９９】
原稿搬送部３００が所定位置まで閉じられて、アクチュエータ４０１がスキャナ筐体２００ｃ内に所定量押し込まれると、図５（ｂ）に示すように、センサ検知体４０３がフォトセンサ４０４により検知される。これにより、原稿搬送部３００が所定位置（所定の角度）まで閉じられたことがフォトセンサ４０４により検出される。
【０１００】
また、画像読取装置１２０は、図２に示すように、第１読取ガラス２０１ａに搬送される原稿を原稿搬送部３００下流側の第２原稿読取部２００ｂに導くガイド部材５０１を備えている。
【０１０１】
ガイド部材５０１は、図６（ａ），（ｂ）に示すように、三角形状断面を有し、原稿の主走査方向に沿って長く形成され、原稿の副走査方向に沿って揺動（回動）可能に設けられている。ガイド部材５０１は、原稿搬送部３００の下側に配置され、背面５０１ｂ側で搬送される原稿をガイドするようにされている。ガイド部材５０１の原稿台ガラス２０１と対向する底面５０１ａ側には、反射部材５００が設けられている。
【０１０２】
具体的には、画像読取装置１２０が閉じられた状態では、図６（ａ）に示すように、ガイド部材５０１は、背面５０１ｂが原稿搬送部３００の一部を構成して、原稿の搬送をガイドする。
【０１０３】
一方、画像読取装置１２０が所定の角度で配置されて所定量開放された状態では、図６（ｂ）に示すように、ガイド部材５０１が自動的に回動して、底面５０１ａに設けられた反射部材５００は所定量傾斜した状態となる。このとき、第１光源２１１ａからの照射光は、図６に示すように、第１読取ガラス２０１ａに搬送される原稿を読取る読取り領域を通って反射部材５００で反射して第１イメージセンサ２０５ａに入射されるように構成されている。
【０１０４】
本実施形態では、ガイド部材５０１は、回動可能に軸支されているので、反射部材５００を所定の角度になるように調整することは容易である。例えば、反射部材５００が所定の角度になるように回転規制部材や回転調整部材を設けてもよい。
回転規制部材や回転調整部材は、ガイド部材５０１の原稿をガイドする機能を妨げない範囲で設けることが好ましい。
【０１０５】
また、画像読取装置１２０は、図７に示すように、画像読取装置１２０を制御する制御部６００の機能として、開閉検知装置４００による検知結果に基づき第１光源２１１ａを発光させる光源発光機能（光源発光手段）６０１と、反射部材５００からの反射光が第１イメージセンサ２０５ａへ入射されたときに第１イメージセンサ２０５ａから出力される信号に基づいて、原稿台ガラス２０１に載置された原稿の副走査方向のサイズを検出する原稿サイズ検出機能（原稿サイズ検出手段）６０２とを備えている。
【０１０６】
ここで、本実施形態の画像読取装置１２０の特徴的な電気的構成についてブロック図を参照して説明する。
【０１０７】
画像読取装置１２０は、図７に示すように、電気的構成として、画像読取装置１２０の動作を制御する制御部６００、第１光源２１１ａ、第１イメージセンサ（ＣＣＤ）２０５、原稿サイズ判定部６１０、駆動モータ６２０などを備えている。
【０１０８】
本実施形態では、制御部６００の機能として、光源発光機能６０１と原稿サイズ検出機能６０２とを備えている。
【０１０９】
光源発光機能６０１は、開閉検知装置４００のフォトセンサ４０４により原稿搬送部３００が所定の角度で配置されたことを検出したとき、第１光源２１１ａを照射する機能である。
【０１１０】
原稿サイズ検出機能６０２は、光源発光機能６０１により第１光源２１１ａから照射されたとき、第１光源２１１ａからの照射光が反射部材５００で反射して第１イメージセンサ２０５ａに入射されることにより出力される信号に基づいて原稿台ガラス２０１に載置された原稿の副走査方向のサイズを検出する機能である。
【０１１１】
詳しくは、反射部材５００からの反射光は、原稿台ガラス２０１の載置された原稿のサイズによって第１イメージセンサ２０５ａへ照射されたり照射されなかったりするので、第１イメージセンサ２０５ａへ光が入射されるか否かで、原稿の副走査方向のサイズを判定することができる。
【０１１２】
また、画像読取装置１２０は、第１光源２１１ａからの光を原稿台ガラス２０１の下側から原稿台ガラス２０１に載置された原稿に向けて照射して、その反射光を第１イメージセンサ２０５ａに入射することで、原稿の主走査方向のサイズを検出するようにされている。
【０１１３】
原稿サイズ判定部６１０は、第１イメージセンサ２０５ａにより検出された原稿の主走査方向のサイズと原稿サイズ検出機能６０２により検出された原稿の副走査方向のサイズとに基づき原稿サイズを判定する。
【０１１４】
ここで、本実施形態の画像読取装置１２０において、第１光源２１１ａから照射された光が反射部材５００で反射して第１イメージセンサ２０５ａに向かって照射される際に、原稿台ガラス２０１上を照射する領域について説明する。
図８（ａ）は本実施形態の画像読取装置の原稿台ガラス上における読取り可能な原稿サイズと反射部材による反射光の照射領域との位置関係を示す平面視による説明図、（ｂ）は前記画像読取装置の反射部材による反射光の照射を示す側面視による説明図である。
【０１１５】
本実施形態において、画像読取装置１２０により読取り可能な原稿サイズは、図８（ａ）に示すように、Ａ３（縦２９７×横４２０），Ａ４（縦２９７×横２１０），Ａ４Ｒ（縦２１０×横２９７），Ａ５（縦２１０×横１４８．５），Ａ５Ｒ（縦１４８．５×横２１０），Ａ６（縦１０５×横１４８．５），Ｂ４（縦２５７．５×横３６４），Ｂ５（縦２５７．５×横１８２），Ｂ５Ｒ（縦１８２×横２５７．５）のサイズとしている。
【０１１６】
本実施形態においては、Ｒ表示が付いた原稿サイズ（例えば、「Ａ４Ｒ」）は、原稿を横置きにしたときの原稿サイズを示し、Ｒ表示が付かない原稿サイズ（例えば、「Ａ４」）は、原稿を縦置きにしたときの原稿サイズを示す。なお、本実施例では、Ａ３，Ｂ４の原稿は、縦置きでは使用しないため、そのまま「Ａ３」，「Ｂ４」と表示するものとする。
【０１１７】
原稿の走査方向（Ｘ方向）において同じサイズは、図８（ａ）に※印で示すように、Ａ５とＡ４Ｒ、Ｂ５とＢ４、Ａ４とＡ３、である。
【０１１８】
画像読取装置１２０においては、原稿の走査方向のサイズが同じサイズの原稿を区別するために、原稿の副走査方向（Ｙ方向）のサイズの違いを第１光源２１１ａから照射光を検出することで判定するようにされている。
【０１１９】
具体的には、本実施形態では、第１光源２１１ａから照射されて反射部材５００で反射した反射光が、原稿の副走査方向（Ｙ方向）の２１０（ｍｍ）から２９７（ｍｍ）の範囲Ｙ０内に届くように構成されている。
【０１２０】
原稿サイズの判定は、原稿サイズ判定部６１０により実行される。
例えば、第１光源２１１ａにより原稿の端部を照射して第１イメージセンサ２０５ａによって原稿の走査方向（Ｘ方向）のサイズが２１０（ｍｍ）と検出されたとき、原稿サイズはＡ５とＡ４Ｒの何れかとなる。そして、第１光源２１１ａから照射されて反射部材５００により反射した光が第１イメージセンサ２０５ａによって検知された場合は、原稿の副走査方向（Ｙ方向）のサイズが２１０（ｍｍ）以下であると判定される。以上の原稿の走査方向（Ｘ方向）と副走査方向（Ｙ方向）の検出結果に基づき、原稿サイズはＡ５サイズであると判定される。
【０１２１】
一方、第１光源２１１ａから照射されて反射部材５００により反射した光が第１イメージセンサ２０５ａによって検知されない場合は、原稿の副走査方向（Ｙ方向）のサイズが２１０（ｍｍ）以上であると判定される。以上の原稿の走査方向（Ｘ方向）と副走査方向（Ｙ方向）の検出結果に基づき、原稿サイズはＡ４Ｒサイズであると判定される。
【０１２２】
以下、同様に、原稿の走査方向（Ｘ方向）と副走査方向（Ｙ方向）の検出結果に基づき、Ｂ５とＢ４、Ａ４とＡ３の原稿サイズを判定することができる。
【０１２３】
原稿の主走査方向（Ｘ方向）における反射光が照射される範囲Ｘ０は、主走査方向（Ｘ方向）において同じサイズを有する原稿のうち最小の原稿の主走査方向（Ｘ方向）の領域内に反射光が照射される範囲とする。
【０１２４】
本実施形態においては、主走査方向（Ｘ方向）において同じサイズを有する最小の原稿はＡ５とＡ４Ｒであるので、原稿の主走査方向（Ｘ方向）における反射光が照射される範囲Ｘ０は２１０（ｍｍ）となる。
【０１２５】
なお、本実施形態では、画像読取装置１２０は、反射部材５００が原稿搬送部３００とともに傾斜して（例えば、１５度）配置されるので、反射部材５００による反射光は、水平よりも傾斜して開放側（フロント側または手前側）へ照射される。したがって、原稿の主走査方向（Ｘ方向）の反射光が照射される範囲は、２１０（ｍｍ）の位置、すなわち、Ａ５とＡ４Ｒの位置よりも内側（奥側）となる範囲とすることが好ましい。
【０１２６】
また、原稿端付近へ反射部材５００からの反射光を照射させない等のマージンを考慮すると、反射部材５００からの反射光が照射される範囲５１０は、図８（ａ）の太い２点鎖線で示すように、原稿の主走査方向（Ｘ方向）では２１０（ｍｍ）の位置よりも内側で、原稿の副走査方向（Ｙ方向）では２１０（ｍｍ）の位置よりも外側で２９７（ｍｍ）の位置よりも内側となる範囲とすることが好ましい。
【０１２７】
次に、本実施形態の画像読取装置１２０において、原稿を読取る際に原稿サイズを判定する処理手順についてフローチャートに沿って説明する。
図９は本実施形態の画像読取装置における原稿を読取る際に原稿サイズを判断する処理手順を示すフローチャート、図１０は前記画像読取装置により読取り可能な短尺の原稿サイズの一例を示す表、図１１は前記画像読取装置により読取り可能な長尺の原稿サイズの一例を示す表、図１２は前記画像読取装置により読取り可能な原稿サイズの一例を示す表である。
【０１２８】
本実施形態では、画像読取装置１２０において原稿を読取る場合は、原稿サイズが判断通知される。
【０１２９】
まず、画像読取装置１２０の原稿読取部２００において光源ユニット２１０が第１読取ガラス２０１ａ下側で待機する（ステップＳ１）。
前の原稿の読取りが終了したら、第１読取ガラス２０１ａ下側に待機するようにしてもよい。なお、第１読取ガラス２０１ａ下側の読取位置に限らずその近傍に待機させてもよい。
【０１３０】
そして、ユーザが原稿を原稿台ガラス２０１に載置するために原稿搬送部３００を開放する（ステップＳ２）。
【０１３１】
このとき、原稿搬送部３００の開放角度が１５度より大きく開放されると、開閉検知装置４００のセンサ検知体４０３がフォトセンサ４０４を遮らないため、フォトセンサ４０４からの出力信号はＯＮからＯＦＦとなる（ステップＳ３）。そして、ユーザは原稿台ガラス２０１上に原稿を載置する（ステップＳ４）。
【０１３２】
そして、原稿搬送部３００を閉じて、原稿搬送部３００の開放角度が１５度より小さくなると、開閉検知装置４００のセンサ検知体４０３がフォトセンサ４０４を遮るため、フォトセンサ４０４からの出力信号はＯＦＦからＯＮとなる（ステップＳ５）。
【０１３３】
フォトセンサ４０４からの出力信号がＯＮになると、制御部６００の光源発光機能６０１により第１光源２１１ａがＯＮ状態となる（ステップＳ６）。
第１光源２１１ａから照射された光は、第１読取ガラス２０１ａを透過して、反射部材５００で反射して第１イメージセンサ２０５ａに向かって照射される。
【０１３４】
そして、ステップＳ７において、第１イメージセンサ２０５ａに反射部材５００からの反射光が入射したか否かが判断される。
【０１３５】
ステップＳ７において、第１イメージセンサ２０５ａに反射部材５００からの反射光が入射したと判断された場合は、「短尺」の原稿であると判定される（ステップＳ８）。
【０１３６】
本実施形態において、原稿のサイズは、図１０に示すように、原稿の副走査方向の長さが２１０（ｍｍ）以下の場合は「短尺」の原稿と判定する。具体的には、「短尺」の原稿は、Ａ５／Ａ６（１４８．５（ｍｍ））、Ｂ５（１８２（ｍｍ））、Ａ４／Ａ５Ｒ（２１０（ｍｍ））としている。
【０１３７】
そして、光源ユニット２１０を原稿の先端位置に移動して（ステップＳ９）、第１光源２１１ａにより原稿の先端位置を照射して、その反射光が第１イメージセンサ２０５ａに入射されて原稿の主走査方向のサイズが確定する（ステップＳ１０）。
【０１３８】
そして、ステップＳ８における原稿の副走査方向のサイズ（短尺）の判定結果とステップＳ１０における原稿の主走査方向のサイズの判定結果に基づき、原稿サイズ判定部６１０により原稿サイズが確定される（ステップＳ１１）。
【０１３９】
一方、ステップＳ７において、第１イメージセンサ２０５ａに反射部材５００からの反射光が入射していないと判断された場合は、「長尺」の原稿であると判定される（ステップＳ１２）。
【０１４０】
本実施形態において、原稿のサイズは、図１１に示すように、原稿の副走査方向の長さが２１０（ｍｍ）を越える場合は「長尺」の原稿と判定する。具体的には、「長尺」の原稿は、Ｂ５Ｒ（２５７．５（ｍｍ））、Ａ４Ｒ（２９７（ｍｍ））、Ｂ４（３６４（ｍｍ））、Ａ３（４２０（ｍｍ））としている。
【０１４１】
そして、光源ユニット２１０を原稿の先端位置に移動して（ステップＳ１３）、第１光源２１１ａにより原稿の先端位置を照射して、その反射光が第１イメージセンサ２０５ａに入射されて原稿の主走査方向のサイズが確定する（ステップＳ１４）。
【０１４２】
そして、ステップＳ１２における原稿の副走査方向のサイズ（長尺）の判定結果とステップＳ１４における原稿の主走査方向のサイズの判定結果に基づき、原稿サイズ判定部６１０により原稿サイズが確定される（ステップＳ１５）。
【０１４３】
このようにして、第１光源２１１ａからの照射により反射部材５００で反射した反射光によって原稿の副走査方向のサイズを判定し、第１光源２１１ａから照射により主走査方向のサイズを確定することで、容易に原稿のサイズを確定することができる。
【０１４４】
以上のように構成したので、本実施形態によれば、原稿を載置する原稿台ガラス２０１と、原稿台ガラス２０１に載置した原稿を押さえる原稿搬送部３００と、原稿を照射するための光源として第１及び第２光源２１１ａ，２１１ｂと、第１及び第２イメージセンサ２０５ａ，２０５ｂを備えた第１及び第２原稿読取部２００ａ，２００ｂを備えた画像読取装置において、原稿搬送部３００が原稿台ガラス２０１に対して所定の角度で配置されたときに、原稿搬送部３００の開閉状態を検知する開閉検知装置４００を備え、第１光源２１１ａからの照射光により原稿台ガラス２０１を透過して第１イメージセンサ２０５ａを照射する反射部材５００を備え、画像読取装置１２０を制御する制御部６００の機能として、開閉検知装置４００による検知結果に基づき第１光源２１１ａを発光させる光源発光機能６０１と、反射部材５００からの反射光が第１イメージセンサ２０５ａへ入射されたときに第１イメージセンサ２０５ａから出力される信号に基づいて、原稿台ガラス２０１に載置された原稿の副走査方向のサイズを検出する原稿サイズ検出機能６０２とを備えたことで、原稿を読取る際に、別途反射型センサ等を設ける必要がないので、簡単な構成で、且つ低コスト化を図り、原稿サイズの判定を容易にできる画像読取装置及びこれを備えた画像形成装置を実現することができる。
【０１４５】
また、本実施形態によれば、第１光源２１１ａから光を、第１読取ガラス２０１ａに搬送される原稿を読取る読取り位置を含む読取り領域を通って反射部材５００に照射して、反射部材５００で反射した光により原稿の副走査方向のサイズを検出するようにしたので、原稿台ガラス２０１上に原稿を載置した状態で第１光源２１１ａの照射光が反射部材５００との間で遮られることなく、反射部材５００に光を入射させることができる。
【０１４６】
また、本実施形態によれば、第１光源２１１ａから光を、第１読取ガラス２０１ａの下側から原稿台ガラス２０１に載置された原稿に向けて照射して、原稿の副走査方向のサイズを検出し、その後、第１光源２１１ａを、原稿台ガラス２０１の下側に移動して、原稿の主走査方向のサイズを検出するようにしたので、反射部材５００を設けた原稿搬送部３００が閉じられる前に、必ず原稿の副走査方向のサイズを検出できる。
なお、原稿の主走査方向のサイズに関しては、原稿搬送部３００が閉じられていても原稿のエッジ（端部）は第１イメージセンサ２０５ａで確認できる。
【０１４７】
また、本実施形態によれば、第１読取ガラス２０１ａに搬送される原稿を原稿搬送部３００に導くガイド部材５０１を備え、ガイド部材５０１を揺動可能に設け、反射部材５００をガイド部材５０１の原稿台ガラス２０１と対向する側に設けたことで、すでに設けられた構成要素に換えて本発明に対応した構成要素を設けるので構造が複雑化することがない。
また、ガイド部材５０１を支点を中心に揺動可能に構成したので、反射部材５００を所定の角度になるように調整しやすく構成できる。
【０１４８】
なお、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１４９】
１００  画像形成装置
１２０  画像読取装置
２００  原稿読取部
２００ａ  第１原稿読取部（光電変換器）
２０１  原稿台ガラス（原稿載置台）
２０１ａ  第１読取ガラス
２０５ａ  第１イメージセンサ（光電変換素子）
２１０  光源ユニット
２１１ａ  第１光源（光源）
３００  原稿搬送部（原稿押え装置）
４００  開閉検知装置（開閉検知部材）
４０３  センサ検知体
４０４  フォトセンサ
５００  反射部材
５０１  ガイド部材
５１０  反射光が照射される範囲
６００  制御部
６０１  光源発光機能（光源発光手段）
６０２  原稿サイズ検出機能（原稿サイズ検出手段）
６１０  原稿サイズ判定部
【図１】
2014204263.tif 000003
【図２】
2014204263.tif 000004
【図３】
2014204263.tif 000005
【図４】
2014204263.tif 000006
【図５】
2014204263.tif 000007
【図６】
2014204263.tif 000008
【図７】
2014204263.tif 000009
【図８】
2014204263.tif 000010
【図９】
2014204263.tif 000011
【図１０】
2014204263.tif 000012
【図１１】
2014204263.tif 000013
【図１２】
2014204263.tif 000014